(57)【要約】【課題】十分な電磁波出力を確保し、確実に情報データを読み取ることができる標示器を提供することである。【解決手段】本考案は、台座１と金属製標示プレート２からなり、金属製標示プレート２には標示情報を記録したＩＣタグ３が内蔵されている。台座１の底部は厚みＤを有するため、アンテナから受発信される電磁波が十分な強度となり、データを読み書きする際の安定性を向上させると共に、通信距離をより長くすることができる。【選択図】図１
0003141694.tif 000002
【実用新案登録請求の範囲】
【請求項１】
金属製構造物に設置される、底部の厚みが１ｍｍ以上２０mm以下の磁気透過性を有する台座１と、該台座に載置される金属製標示プレート２からなる標示器であって、該標示器には、金属製標示プレート２に設けられた嵌合孔に標示情報を記憶したＩＣタグ３が収容され、かつ該嵌合孔から標示プレートの外周に向かうスリット溝が設けられ、該ＩＣタグから発信される電磁波がスリット溝から台座を透過して標示器の外部に発信されるよう構成したことを特徴とする標示器。
【請求項２】
金属製構造物に設置される、底部の厚みが１ｍｍ以上２０mm以下の磁気透過性を有する台座１と、該台座に載置された金属製標示プレート２からなる標示器であって、該台座の表面に設けられた凹部に標示情報を記憶したＩＣタグ３が収容され、該ＩＣタグから発信される電磁波が台座を透過して標示器の外部に発信されるよう構成したことを特徴とする標示器。
【請求項３】
金属製構造物に設置される、底部の厚みが１ｍｍ以上２０mm以下の磁気透過性を有する台座１と、該台座に載置された金属製標示プレート２からなる標示器であって、該台座に標示情報を記憶したＩＣタグ３が埋設され、該ＩＣタグから発信される電磁波が台座を透過して標示器の外部に発信されるよう構成したことを特徴とする標示器。
【考案の詳細な説明】
【技術分野】
【０００１】
本考案は、地中に埋設されたケーブル、水道管、ガス管や、土地、道路等の位置を示す測量杭や鋲を保護する金属製の保護具の表面に設置されて、土地情報、地籍情報等の記録を外部から確認、または修正できる表示器、さらにコンテナ等の金属製の筐体表面に設置されて、筐体内に収容された内容物を、筐体の外部から確認することができる標示器に関するものである。
【背景技術】
【０００２】
従来より、地中に埋設されたケーブル、水道管、ガス管等の埋設位置、土地、道路等の位置、土地の境界や測量点等を標示するために、通常地面の適当な位置に金属製の標示器が設置される。
【０００３】
従来の表示器は位置の表示のみであったが、最近、標示器にICタグを取り付け、位置表示だけではなく、位置情報や埋設物の情報を記録し、適宜その情報を読み取ることができる標示器が提案された（特許文献１参照）。この標示器は、標示器にＩＣタグを取り付け、リーダライタをこのＩＣタグに近接させて、情報データを読み取り、また現場で情報データを変更することもできるため測量、調査等の作業が容易となる画期的な提案であったが、標示器本体が電磁波を吸収する金属製であるため、電磁波の出力が微弱で読み取りできないという問題があった。
【０００４】
特許文献１に開示された金属製標示器での電磁波の吸収を防止するため、標示器本体の表面に設けられた凹所に、ＩＣタグをアモルファス金属を介して設置し、電磁波をアモルファス金属で反射させる構成にした表示器が特許文献2に開示された。特許文献2に記載された表示器は電磁波の吸収が防止されたが、この標示器でも、反射した電磁波の出力が微弱で、情報データが読み取り難いという問題があった。
【０００５】
そこで、本出願人は、標示器本体に嵌合孔を穿設し、前記嵌合孔から標示器の外周側面に亘って切欠溝を形成し、前記嵌合孔にICタグを収納させた標示器を特許文献3に提案した。この表示器では切欠溝を通って電磁波が外部に出力されるため電磁波の出力の低下が防止でき、実用上の問題は解決された。
しかし金属製のコンテナ等の金属製構造物の表面に標示器を設置する場合、上記表示器でも電磁波が金属製構造物に吸収されて出力が低下し、記録が読み取り難いという問題があった。
【０００６】
【特許文献１】特開２００３−４４４４号公報
【特許文献２】特開２００７−３５００号公報
【特許文献２】特開２００７−２４１３３３号公報
【考案の開示】
【考案が解決しようとする課題】
【０００７】
したがって、本考案の目的は、表示器を金属製構造物上に設置しても、電磁波が金属に吸収されず、十分な電磁波出力を確保し、確実に情報データを読み取ることができる標示器を提供することにある。
【課題を解決するための手段】
【０００８】
上記目的を達成するために、本考案の標示器は、金属製構造物に設置される、底部の厚みが１ｍｍ以上２０mm以下の磁気透過性を有する台座１と、該台座に載置される金属製標示プレート２からなる標示器であって、該標示器には、金属製標示プレート２に設けられた嵌合孔に標示情報を記憶したＩＣタグ３が収容され、かつ該嵌合孔から標示プレートの外周に向かうスリット溝が設けられ、該ＩＣタグから発信される電磁波がスリット溝から台座を透過して標示器の外部に発信されるよう構成したことを特徴とする標示器である。
【０００９】
更に、金属製構造物に設置される、底部の厚みが１ｍｍ以上２０mm以下の磁気透過性を有する台座１と、該台座に載置された金属製標示プレート２からなる標示器であって、該台座の表面に設けられた凹部に標示情報を記憶したＩＣタグ３が収容され、該ＩＣタグから発信される電磁波が台座を透過して標示器の外部に発信されるよう構成したことを特徴とする標示器である。
【００１０】
本考案の表示器は、金属製構造物に設置される、底部の厚みが１ｍｍ以上２０mm以下の磁気透過性を有する台座１と、該台座に載置された金属製標示プレート２からなる標示器であって、該台座に標示情報を記憶したＩＣタグ３が埋設され、該ＩＣタグから発信される電磁波が台座を透過して標示器の外部に発信されるよう構成したことを特徴とする標示器である。
【考案の効果】
【００１１】
金属製構造物に設置された標示器においては、ICタグから出力する電磁波が金属に吸収されないことが重要であり、そのためには金属製構造物と金属製標示プレートとの間に設置されて、電磁波を外部に透過させる台座が重要である。該台座は、特定の材質と厚みを有することにより、電磁波が金属製構造物に吸収されることなく効率よく外部に出力することができる。その結果情報データの格納、活用に十分な性能を有し、データを読み書きする際の安定性を向上させると共に、通信距離をより長くすることができるという効果を奏することができる。
【考案を実施するための最良の形態】
【００１２】
次に、本考案の標示器の好適な実施形態について、図面にて説明する。
【００１３】
図1は金属製標示プレートを示す上面図であり、台座１は金属製標示プレート２よりも大さな直径を有し、金属製標示プレート２の直径と等しい凹部を有することにより、金属製標示プレート２はその内部に格納される。凹部の深さは金属製標識プレート２の厚みと等しいことが望ましい。金属製標示プレート２の嵌合孔２ａにはＩＣタグ３が内蔵される。ＩＣタグ３は台座１底面から一定の距離（厚みＤ）を有するため、電磁波の受発信に重大な障害を発生することは無くまた、金属製標示プレート２に埋め込まれ、かつ台座１上に設置されているために、外部からの衝撃を受けることが無い。
【００１４】
図２は本考案の標示器の実施例の断面図であり、台座１の底部に一定の厚みＤを有することにより、金属製標示プレート２と金属製構造物との間に電磁波を透過させることとなる。台座１の中央部には必要に応じ穴を開けることにより、金属製標示プレート２の中央部に設けられた固定ネジ用穿孔２ｂにネジを装着し、金属製構造物に固定することも可能である。台座１の底部の厚みＤは通常１ｍｍ以上２０ｍｍ以下であることが好ましい。１mmより厚みDが少ない場合、電磁波の透過が少ない。また厚みDが２０mmを越える場合は製品の厚みが大きくなり実用性が低下する。さらに製品として台座１の底部の厚みDは、好ましくは２ｍｍ以上１０ｍｍ以下である。
【００１５】
図３は金属製標示プレートを示す上面図であり、台座１は金属製標示プレート２よりも大さな直径を有し、金属製標示プレート２の直径と等しい凹部を有することにより、金属製標示プレート２はその内部に格納される。凹部の深さは金属製標識プレート２の厚みと等しいことが望ましい。台座１のＩＣタグ格納穴１ａにはＩＣタグ３が内蔵される。ＩＣタグ３は台座１底面から一定の距離（厚みＤ）を有するため、電磁波の受発信に重大な障害を発生することは無く、台座１に埋め込まれるために、外部からの衝撃を受けることが無い。
【００１６】
図４は本考案の標示器の断面図であり、台座１の底部に一定の厚みＤを有することにより、金属製標示プレート２と金属製構造物との間に電磁波を透過させることとなる。台座１の中央部には必要に応じ穴を開けることにより、金属製標示プレート２の中央部に設けられた固定ネジ用穿孔２ｂにネジを装着し、金属製構造物に固定することも可能である。
【００１７】
図５は金属製標示プレートを示す上面図であり、台座１は金属製標示プレート２よりも大さな直径を有し、金属製標示プレート２の直径と等しい凹部を有することにより、金属製標示プレート２はその内部に格納される。凹部の深さは２の厚みと等しいことが望ましい。台座１の樹脂内部にＩＣチップ３ａ、アンテナ３ｂで構成されるＩＣタグが内蔵される。
ＩＣタグ３は台座１底面から一定の距離（厚みＤ）を有するため、電磁波の受発信に重大な障害を発生することは無く、台座１に埋め込まれるために、外部からの衝撃を受けることが無い。
【００１８】
図９はICタグ３の一例を示す断面図である。このICタグ３は基盤上に回路パターンを形成した薄膜状とされ、この回路パターンに各種情報を記憶する記憶部６が設けられた情報記憶回路７と、外部からの電磁波を受けて記憶部６に記憶された情報を発信するアンテナ３bとを備え、これら情報記憶回路７とアンテナ３bは、その液密に接合一体化された円形の薄い二つ割りの容器８に収められている。該容器８には樹脂、硬質ゴムまたはセラミックが使用される。耐久性や強度に優れたセラミックスを使用する場合は、ＩＣタグに直接衝撃が加わっても破損しないためＩＣタグ保護のための封止体は使用しなくてもよい。また耐久性や強度に劣る樹脂の場合には、衝撃による破損を避けるため、封止体の底面に凹所を設け、この凹所にはＩＣタグを入れて保護するのが望ましい。アンテナ３bは、情報記録回路７の外周部に円形状に巻回された細い導電線からなり、情報記憶回路７に電気的に接続されている。
【００１９】
図１０は、ＩＣタグ３の情報を外部から読取器９で読み取るときの状態を示すブロック図である。同図に示すように、金属製標示プレート２に読取器９を近づけて、読取器９に内蔵した電磁波発生器１０から発生する指向性のある電磁波を金属製標示プレート２の凹部を閉塞するＩＣタグ３に向かって発信すると、磁気共鳴現象が発生して、図９に示すアンテナ３bからＩＣタグ３の記憶部６で記憶された各種の情報が特有の周波数の電磁波として発信される。この発信された電磁波が読取器９の受信器１１で受信されて、表示装置１１に記憶情報として表示される。これにより、ＩＣタグ３の各種情報を外部から非接触状態で読み取ることができる。
【図面の簡単な説明】
【００２０】
【図１】本考案実施例１の標示器の上面図である。
【図２】本考案実施例１の標示器のＡ−Ａ断面図である。
【図３】本考案実施例２の標示器の上面図である。
【図４】本考案実施例２の標示器のＡ−Ａ断面図である。
【図５】本考案実施例３の標示器の上面図である。
【図６】本考案実施例３の標示器のＡ−Ａ断面図である。
【図７】金属製標示プレートの上面図である。
【図８】金属製標示プレートの斜視図である。
【図９】金属製標示に内蔵されるICタグを示す断面図である。
【図１０】ICタグの情報を読取器で読み取るときの状態を示すブロック図である。
【符号の説明】
【００２１】
１          台座
１ａ        台座側ＩＣタグ格納穴
２          金属製標示プレート
２ａ        プレート側ＩＣタグ格納穴
２ｂ        固定ネジ用穿孔
３          ＩＣタグ
３ａ        ＩＣチップ
３ｂ        アンテナ
４          スリット状溝
５          固定ネジ
Ｄ          台座底部の厚み
６   記憶部
７          情報記憶回路
８          ICタグ容器
９   読取器
１０ 電磁波発生器
１１ 受信器
１２ 表示装置
【図１】
0003141694.tif 000003
【図２】
0003141694.tif 000004
【図３】
0003141694.tif 000005
【図４】
0003141694.tif 000006
【図５】
0003141694.tif 000007
【図６】
0003141694.tif 000008
【図７】
0003141694.tif 000009
【図８】
0003141694.tif 000010
【図９】
0003141694.tif 000011
【図１０】
0003141694.tif 000012